(57)【要約】【課題】簡単な構造で効率的な冷却を行うことが可能なプロジェクタを提供する。【解決手段】冷却ファン４２は、開口部Ｈ１１ｂの外気９０を、冷却風９１として筐体部分Ｒ１２内に送り、かつ、筐体部分Ｒ１２内の冷却風９１の一部である冷却風９２，９３が冷却風９６と合流するように、該筐体部分Ｒ１２内の冷却風９２，９３を筐体部分Ｒ１１内に送るように駆動する。【選択図】図３
2014211462.tif 000002
【特許請求の範囲】
【請求項１】
プロジェクタであって、
光を出射する光源を含み、該光源が出射する光を利用して、映像を構成する映像光を出射する光学ユニットと、
前記プロジェクタを動作させるための電力を供給する電源ユニットと、
前記光源を冷却する第１および第２の冷却ファンと、
筐体と、を備え、
前記筐体内には、少なくとも前記第２の冷却ファンを境界として使用して、前記光学ユニットを収容する領域である第１の筐体部分と、前記電源ユニットを収容する領域である第２の筐体部分とが形成され、
前記第１の筐体部分を形成する、前記筐体の一部には、吸気用の第１の開口部と排気用の第２の開口部とが設けられ、
前記第１の開口部および前記第２の開口部の各々は、前記筐体の異なる側面に設けられ、
前記第２の筐体部分を形成する、前記筐体の一部には、吸気用の第３の開口部が設けられ、
前記第３の開口部は、前記第２の開口部が設けられる前記側面と異なる、前記筐体の側面に設けられ、
前記第１の冷却ファンは、前記第１の開口部の外気を利用するための位置に設けられ、かつ、該第１の開口部の外気を、第１の冷却風として該第１の筐体部分内に送るように駆動し、
前記第２の冷却ファンは、前記第３の開口部の外気を、第２の冷却風として前記第２の筐体部分内に送り、かつ、該第２の筐体部分内の該第２の冷却風が前記第１の冷却風と合流するように、該第２の冷却風を該第１の筐体部分内に送るように駆動し、
前記第１の冷却風と前記第２の冷却風とが合流された合流冷却風は、前記第２開口部から排出される
プロジェクタ。
【請求項２】
前記プロジェクタは、さらに、
前記第１の筐体部分および前記第２の筐体部分の形成のための境界として使用され、かつ、前記第２の筐体部分内の前記第２の冷却風の流れを制御する機能を有する仕切り材を備える
請求項１に記載のプロジェクタ。
【請求項３】
前記仕切り材は、さらに、前記第２の筐体部分内の前記第２の冷却風を前記第１の筐体部分内に導く機能を有する
請求項２に記載のプロジェクタ。
【請求項４】
前記プロジェクタは、さらに、
前記第２の筐体部分内において、前記第２の冷却風があたる位置に設けられる発熱部品を備える
請求項１〜３のいずれか１項に記載のプロジェクタ。
【請求項５】
前記プロジェクタは、さらに、
前記第１の筐体部分内において、前記第１の冷却風および第１の筐体部分内に送られた前記第２の冷却風である第３の冷却風の少なくとも一方があたる位置に設けられる別の発熱部品を備える
請求項１〜４のいずれか１項に記載のプロジェクタ。
【請求項６】
前記第１の開口部を利用して発生した前記第１の冷却風が、前記第２の開口部に向かうように、前記第１の開口部と前記第２の開口部とは対向する
請求項１〜５のいずれか１項に記載のプロジェクタ。
【請求項７】
前記筐体は、
前記第１および第２の筐体部分を含む複数の筐体部分と、
前記第１および第２の冷却ファンを含む複数の冷却ファンと、
前記第１および第３の開口部を含む複数の吸気用の開口部と、
前記第２の開口部を含む１以上の排気用の開口部と、
冷却風の流れを制御する機能を有する仕切り材と、を含む
請求項１〜６のいずれか１項に記載のプロジェクタ。
【請求項８】
前記筐体は、
前記第１および第２の筐体部分を含む複数の筐体部分と、
前記第１および第２の冷却ファンを含む複数の冷却ファンと、
前記第１および第３の開口部を含む複数の吸気用の開口部と、
前記第２の開口部を含む１以上の排気用の開口部と、
冷却風の流れを制御する機能を有する仕切り材と、
前記第２の筐体部分内の前記第２の冷却風を少なくとも２つに分割するように設けられ、かつ、少なくとも１つの開口部を有し、かつ、冷却風の流れを制御する機能を有する別の仕切り材と、を含む
請求項１〜６のいずれか１項に記載のプロジェクタ。
【発明の詳細な説明】
【技術分野】
【０００１】
本発明は、プロジェクタの冷却に関する。
【背景技術】
【０００２】
コンピュータ画像やビデオ映像等をスクリーンに投写する手段としてプロジェクタが多用されている。このプロジェクタは、光源からの照明光を表示素子に集光して、カラー画像を生成し、当該カラー画像をスクリーンに投写する。当該表示素子は、例えば、ＤＭＤ（Digital Micromirror Device）、液晶素子等である。このプロジェクタは、光源に放電ランプを利用したものが知られており、その放電ランプから発せられる光を効率よく光学ユニットに取り込むための技術が開発されている。
【０００３】
しかし、プロジェクタによく用いられる放電ランプは、発熱が非常に多く、発光バルブの各部位を適切な温度に冷却することが容易ではない。また、その冷却が適切に実施されたとしても、当該放電ランプの寿命は、一般的に、２０００〜３０００時間である。そのため、放電ランプを使用するプロジェクタを、表示装置として利用するにはメンテナンス性に課題があった。
【０００４】
このような観点から、最近では半導体光源を搭載したプロジェクタが開発されるようになった。当該半導体光源は、例えば、ＬＥＤ（Light Emitting Diode）、半導体レーザ等である。半導体光源の寿命は、一般的なランプの寿命の約１０倍と非常に長い。また、さらに、半導体光源は、発熱が少なく、消費電力が小さい。そのため、半導体光源を利用したプロジェクタの小型化が図られている。
【０００５】
特許文献１には、半導体光源を利用したプロジェクタにおいて、半導体光源（光源装置）を効率良く冷却する技術（以下、関連技術Ａともいう）が開示されている。具体的には、関連技術Ａでは、複数の冷却ファンおよび開口がプロジェクタの筐体の縁（側面）に設けられる。また、関連技術Ａでは、複数の冷却ファンおよび開口を利用して、異なる位置の外気を、筐体内の光源装置、発熱源等を冷却するための冷却風として、該筐体内に取り込む（送る）。
【０００６】
さらに、関連技術Ａでは、各冷却ファンが取り込んだ冷却風が互いに干渉しないように、筐体内部が構成される。具体的には、筐体内に、仕切り部材、案内部材等が、各光源装置および発熱源の間に配置される。以上により、冷却風をスムーズに排出させることで効率的な冷却を実現している。その結果、関連技術Ａでは、明るい画像を投影させ、半導体光源の長寿命化が図られている。
【先行技術文献】
【特許文献】
【０００７】
【特許文献１】特開２０１１−０７５８９８号公報
【発明の概要】
【発明が解決しようとする課題】
【０００８】
しかしながら、関連技術Ａでは、以下のような問題がある。具体的には、関連技術Ａでは、各光源装置および主要な発熱源ごとに冷却ファンが配置される。また、関連技術Ａでは、複数の冷却ファンを利用して、当該冷却ファンごとに異なる位置の外気を、筐体内取り込むための構成を有する。当該構成を実現するために、関連技術Ａでは、筐体内に、仕切り部材、案内部材等が複雑に配置される。そのため、関連技術Ａのプロジェクタの構造は複雑であり、コストがかかるという問題がある。
【０００９】
本発明は、このような問題を解決するためになされたものであり、簡単な構造で効率的な冷却を行うことが可能なプロジェクタを提供することを目的とする。
【課題を解決するための手段】
【００１０】
上記目的を達成するために、本発明の一態様に係るプロジェクタは、光を出射する光源を含み、該光源が出射する光を利用して、映像を構成する映像光を出射する光学ユニットと、前記プロジェクタを動作させるための電力を供給する電源ユニットと、前記光源を冷却する第１および第２の冷却ファンと、筐体と、を備え、前記筐体内には、少なくとも前記第２の冷却ファンを境界として使用して、前記光学ユニットを収容する領域である第１の筐体部分と、前記電源ユニットを収容する領域である第２の筐体部分とが形成され、前記第１の筐体部分を形成する、前記筐体の一部には、吸気用の第１の開口部と排気用の第２の開口部とが設けられ、前記第１の開口部および前記第２の開口部の各々は、前記筐体の異なる側面に設けられ、前記第２の筐体部分を形成する、前記筐体の一部には、吸気用の第３の開口部が設けられ、前記第３の開口部は、前記第２の開口部が設けられる前記側面と異なる、前記筐体の側面に設けられ、前記第１の冷却ファンは、前記第１の開口部の外気を利用するための位置に設けられ、かつ、該第１の開口部の外気を、第１の冷却風として該第１の筐体部分内に送るように駆動し、前記第２の冷却ファンは、前記第３の開口部の外気を、第２の冷却風として前記第２の筐体部分内に送り、かつ、該第２の筐体部分内の該第２の冷却風が前記第１の冷却風と合流するように、該第２の冷却風を該第１の筐体部分内に送るように駆動し、前記第１の冷却風と前記第２の冷却風とが合流された合流冷却風は、前記第２開口部から排出される。
【発明の効果】
【００１１】
本発明によれば、前記第２の冷却ファンは、前記第３の開口部の外気を、第２の冷却風として前記第２の筐体部分内に送り、かつ、該第２の筐体部分内の該第２の冷却風が前記第１の冷却風と合流するように、該第２の冷却風を該第１の筐体部分内に送るように駆動する。
【００１２】
これにより、第１の冷却風と第２の冷却風とが合流することにより、風量が増加した合流冷却風を第１の筐体部分内で使用することができる。その結果、第１の筐体部分内の光学ユニットを効率的に冷却することができる。すなわち、複数の冷却風が合流された合流冷却風を使用することにより、簡単な構造で効率的な冷却を行うことができる。
【図面の簡単な説明】
【００１３】
【図１】本発明の実施の形態１に係るプロジェクタの構成を示す平面概略図である。
【図２】本発明の実施の形態１に係るプロジェクタの側面から視たプロジェクタの内部構成を示す概略図である。
【図３】本発明の実施の形態１に係るプロジェクタの内部に発生する風を説明するための図である。
【図４】冷却器の斜視図である。
【図５】冷却器の平面図である。
【図６】筐体に、仕切り材をさらに設けた構成を示す図である。
【発明を実施するための形態】
【００１４】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１５】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１６】
＜実施の形態１＞
図１は、本発明の実施の形態１に係るプロジェクタ１０００の構成を示す平面概略図である。図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向をＸ軸方向ともいう。また、以下においては、Ｙ方向と、当該Ｙ方向の反対の方向（−Ｙ方向）とを含む方向をＹ軸方向ともいう。また、以下においては、Ｚ方向と、当該Ｚ方向の反対の方向（−Ｚ方向）とを含む方向をＺ軸方向ともいう。以下においては、Ｘ軸方向およびＺ軸方向を含む面を、ＸＺ面ともいう。
【００１７】
図２は、本発明の実施の形態１に係るプロジェクタ１０００の側面から視たプロジェクタ１０００の内部構成を示す概略図である。なお、図２では、説明の便宜上、プロジェクタ１０００の筐体のうち、ＸＺ面に平行な側面は図示していない。
【００１８】
図３は、本発明の実施の形態１に係るプロジェクタ１０００の内部に発生する風を説明するための図である。なお、図１および図３では、説明の便宜上、プロジェクタ１０００の筐体の上面は示していない。また、特に、図３では、説明の便宜上、後述の制御回路１６、後述の光源ドライブ回路１７，１８、後述の音声回路２０等は図示していない。
【００１９】
図１、図２および図３を参照して、プロジェクタ１０００は、筐体５０と、光学ユニット１００と、冷却ファン４１，４２ａ，４２ｂと、仕切り材２６ａ，２６ｂと、制御回路１６と、光源ドライブ回路１７，１８と、スピーカ１９と、音声回路２０と、電源ユニット２１と、冷却器１２，１３，３９Ｒ，３９Ｂとを備える。
【００２０】
筐体５０は、プロジェクタ１０００の各構成要素（例えば、光学ユニット１００）を収容する。筐体５０の形状は、直方体である。なお、筐体５０の形状は、直方体に限定されず、例えば、立方体等であってもよい。
【００２１】
仕切り材２６ａ，２６ｂ、冷却ファン４１，４２ａ，４２ｂは、図３に示すように、筐体５０内に設けられる。仕切り材２６ａは、冷却ファン４１と冷却ファン４２ａとの間に設けられる。仕切り材２６ｂは、冷却ファン４２ｂの近傍に設けられる。なお、冷却ファン４１，４２ａ，４２ｂの詳細については後述する。
【００２２】
筐体５０内には、仕切り材２６ａ，２６ｂと冷却ファン４１，４２ａ，４２ｂとにより、筐体部分Ｒ１１，Ｒ１２が形成される。すなわち、仕切り材２６ａ，２６ｂは、筐体部分Ｒ１１，Ｒ１２の形成のための境界として使用される。
【００２３】
筐体部分Ｒ１１は、光学ユニット１００を収容する領域である。筐体部分Ｒ１１は、図２および図３に示すように、筐体５０の一部と、仕切り材２６ａ，２６ｂと、冷却ファン４２ａ，４２ｂと、冷却ファン４１の一方の側面とにより形成される領域である。冷却ファン４１の一方の側面とは、冷却ファン４１のうちスピーカ１９に最も近い面である。
【００２４】
筐体部分Ｒ１２は、スピーカ１９、音声回路２０、電源ユニット２１等を収容する領域である。すなわち、筐体部分Ｒ１２は、光学ユニット１００を収容しない領域である。筐体部分Ｒ１２は、図２および図３に示すように、筐体５０の一部と、仕切り材２６ａ，２６ｂと、冷却ファン４２ａ，４２ｂと、冷却ファン４１の一方の側面とにより形成される領域である。つまり、冷却ファン４１，４２ａ，４２ｂは、筐体部分Ｒ１１，Ｒ１２を形成する仕切り材として機能する。
【００２５】
以下においては、冷却ファン４２ａ，４２ｂの各々を、総括的に、冷却ファン４２ともいう。すなわち、筐体５０内には、少なくとも冷却ファン４２を境界として使用して、筐体部分Ｒ１１，Ｒ１２が形成される。
【００２６】
光学ユニット１００は、詳細は後述するが、映像を構成する映像光を出射する。光学ユニット１００は、光源３０Ｒ，３０Ｂ、３０Ｇと、光源群３１と、ライトバルブ３６と、照明光学ユニット３７と、投写光学ユニット３８とを含む。
【００２７】
光源３０Ｒは、赤色光（赤色帯域の光）を出射する。光源３０Ｂは、青色光（青色帯域の光）を出射する。光源群３１は、励起光を出射する。光源群３１は、励起光を出射する複数の光源３０Ｌから構成される。
【００２８】
光源３０Ｇは、蛍光体を有する。光源３０Ｇは、当該蛍光体と光源群３１から出射される励起光とを利用して、蛍光としての緑色光（緑色帯域の光）を出射する。以下においては、光源３０Ｒ，３０Ｂ、３０Ｇ，３０Ｌの各々を、単に、光源３０ともいう。各光源３０は、冷却ファン４１，４２ａ，４２ｂにより冷却される。
【００２９】
ライトバルブ３６は、例えば、ＤＭＤ、液晶素子等である。照明光学ユニット３７は、レンズ、ダイクロイックミラー、導光素子、反射ミラー等により構成される。照明光学ユニット３７は、各光源３０から出射された光を合成（集光）し、合成された光をライトバルブ３６に照射する。ライトバルブ３６は、照射された光を利用して映像を構成する映像光を出射する。
【００３０】
投写光学ユニット３８は、ライトバルブ３６から出射された映像光を、図示しないスクリーンに投写（出射）する。すなわち、光学ユニット１００は、各光源３０が出射する光を利用して、映像光を出射する。
【００３１】
筐体５０には、吸気用の開口部Ｈ１１ａ，Ｈ１１ｂと、排気用の開口部Ｈ１２とが設けられる。具体的には、筐体部分Ｒ１１を形成する、筐体５０の一部には、吸気用の開口部Ｈ１１ａと排気用の開口部Ｈ１２とが設けられる。なお、図１および図３のように、開口部Ｈ１１ａおよび開口部Ｈ１２の各々は、筐体５０の異なる側面に設けられる。すなわち、筐体５０のうち開口部Ｈ１１ａが設けられる側面と、筐体５０のうち開口部Ｈ１２が設けられる側面とは異なる。
【００３２】
また、筐体部分Ｒ１２を形成する、筐体５０の一部には、吸気用の開口部Ｈ１１ｂが設けられる。なお、開口部Ｈ１１ｂは、開口部Ｈ１２が設けられる側面と異なる、筐体５０の側面に設けられる。
【００３３】
開口部Ｈ１１ａ，Ｈ１１ｂは、詳細は後述するが、筐体５０内の発熱部品を冷却するための冷却風を、筐体５０内に取り込むために設けられる。開口部Ｈ１２は、詳細は後述するが、発熱部品を冷却した冷却風を排出するために設けられる。
【００３４】
制御回路１６は、図１および図２に示すように、筐体５０の上部付近に設けられる。具体的には、制御回路１６は、筐体部分Ｒ１１と筐体部分Ｒ１２とに亘って配置される。制御回路１６は、信号処理部、プロジェクタ１０００の各部を制御する制御部等を含む。信号処理部は、外部からの入力信号を変換して、表示素子であるライトバルブ３６を駆動する映像信号に変換する。
【００３５】
図２を参照して、光源ドライブ回路１７，１８は、筐体部分Ｒ１１に収容される光学ユニット１００と筐体５０との間の空間（隙間）に配置される。
【００３６】
光源ドライブ回路１７は、筐体部分Ｒ１１（光学ユニット１００）の上部に設けられる。光源ドライブ回路１７は、光源３０Ｒ，３０Ｂを駆動させるための回路である。具体的には、光源ドライブ回路１７は、制御回路１６の制御に応じて、光源３０Ｒ，３０Ｂの点灯および消灯の制御、光源３０Ｒ，３０Ｂの発光量を制御する。
【００３７】
光源ドライブ回路１８は、筐体部分Ｒ１１（光学ユニット１００）の下部に設けられる。光源ドライブ回路１８は、光源群３１（光源３０Ｌ）を駆動させるための回路である。具体的には、光源ドライブ回路１８は、制御回路１６の制御に応じて、光源３０Ｌの点灯および消灯の制御、光源３０Ｌの発光量を制御する。
【００３８】
音声回路２０は、外部から入力される音声信号を、スピーカ１９から音声を出力させるための信号に変換する。
【００３９】
電源ユニット２１は、図２に示すように、筐体部分Ｒ１２の下部に設けられる。電源ユニット２１は、プロジェクタ１０００を動作させるための電力を供給する。具体的には、電源ユニット２１は、プロジェクタ１０００外部から電力を受電して、プロジェクタ１０００の回路駆動に必要な電圧に変換し供給する。
【００４０】
冷却器１２，１３，３９Ｒ，３９Ｂの各々は、熱を冷却する機能を有するヒートシンクである。冷却器１２は、冷却ファン４２ａ，４２ｂの近傍に設けられる。また、冷却器１２は、光源３０Ｇおよび光源群３１が発する熱を冷却するために、光源３０Ｇおよび光源群３１の近傍に設けられる。
【００４１】
図４は、冷却器１２の斜視図である。図５は、冷却器１２の平面図である。図４および図５を参照して、冷却器１２は、冷却フィン部１２ａ，１２ｂと、プレート部１２ｃとから構成される。
【００４２】
冷却フィン部１２ａは、複数の放熱フィン１１２から構成される。各放熱フィン１１２の形状は、一例として、板状である。具体的には、Ｘ軸方向およびＺ軸方向に風が通過可能なように複数の放熱フィン１１２が配置されることにより、冷却フィン部１２ａは構成される。なお、冷却フィン部１２ｂも、冷却フィン部１２ａと同じ構成を有する。
【００４３】
プレート部１２ｃの形状は、板状である。プレート部１２ｃは、冷却面１２ｃａを有する。冷却面１２ｃａは、光源群３１を冷却するために、光源群３１（光源３０Ｌ）と熱的に接続される。
【００４４】
冷却器１３は、ライトバルブ３６が発する熱を冷却するために、ライトバルブ３６の近傍に設けられる。また、詳細は後述するが、冷却器１２，１３は、冷却ファン４２ａ，４２ｂにより冷却される。冷却器３９Ｒは、光源３０Ｒが発する熱を冷却するために、光源３０Ｒおよび開口部Ｈ１１ａの近傍に設けられる。冷却器３９Ｂは、光源３０Ｂが発する熱を冷却するために、光源３０Ｂおよび開口部Ｈ１１ａの近傍に設けられる。
【００４５】
冷却ファン４１，４２は、発熱部品（例えば、光源）を冷却するための風を発生させる機能を有する。冷却ファン４１は、開口部Ｈ１１ａの外気９４を、冷却風９６として筐体部分Ｒ１１内に送るように構成される。すなわち、冷却ファン４１は、開口部Ｈ１１ａの外気９４を利用するための位置に設けられる。
【００４６】
具体的には、冷却ファン４１は、開口部Ｈ１１ａと、冷却器３９Ｒ，３９Ｂとの間に設けられる。すなわち、冷却ファン４１は、開口部Ｈ１１ａの近傍に設けられる。冷却ファン４１は、開口部Ｈ１１ａの外気９４を、冷却風９６として筐体部分Ｒ１１内に送るように駆動する。外気９４は、外気９４ａ，９４ｂとから構成される。冷却ファン４１により、筐体部分Ｒ１１内部に送られた外気９４ａ，９４ｂは、それぞれ、冷却器３９Ｂ，３９Ｒにあたる。これにより、冷却器３９Ｂ，３９Ｒは冷却される。
【００４７】
ここで、開口部Ｈ１１ａを利用して発生した冷却風９６が、開口部Ｈ１２に向かうように、開口部Ｈ１１ａと開口部Ｈ１２とは対向するように構成される。この構成により、冷却風９６は、冷却ファン４１から、開口部Ｈ１２の方向へ流れる。
【００４８】
なお、開口部Ｈ１１ａと開口部Ｈ１２とは対向しない構成とされてもよい。当該構成では、例えば、開口部Ｈ１１ａに平行な面と、開口部Ｈ１２に平行な面とが直交するよう、開口部Ｈ１１ａおよび開口部Ｈ１２は設けられてもよい。
【００４９】
また、冷却器３９Ｒ，３９Ｂは、冷却ファン４１の駆動により発生した冷却風９６により冷却される。これにより、冷却器３９Ｒは光源３０Ｒが発する熱を冷却する。また、冷却器３９Ｂは光源３０Ｂが発する熱を冷却する。
【００５０】
冷却ファン４２ａ，４２ｂは、Ｙ軸方向に沿って隣接して配置される。また、前述したように、冷却ファン４２ａ，４２ｂは、筐体部分Ｒ１１，Ｒ１２を形成する仕切り材として機能する。
【００５１】
冷却ファン４２ａは、開口部Ｈ１１ｂの外気９０を、冷却風９１として筐体部分Ｒ１２内に送るように駆動する。筐体部分Ｒ１２内の冷却風９１は、仕切り材２６ａに沿って、開口部Ｈ１１ｂから、−Ｙ方向へ流れる。すなわち、冷却風９１は、電源ユニット２１の内部を通過する。また、仕切り材２６ａは、筐体部分Ｒ１２内の冷却風９１の流れを制御する機能を有する。具体的には、仕切り材２６ａは、冷却風９１が、開口部Ｈ１１ｂのみから筐体部分Ｒ１２内に取り込まれるように、空気の流れを制御する機能を有する。これにより、電源ユニット２１は冷却される。
【００５２】
また、冷却ファン４２ａは、筐体部分Ｒ１２内の冷却風９１の一部である冷却風９３を、筐体部分Ｒ１１内に送るように駆動する。なお、仕切り材２６ａ，２６ｂにより、冷却風９３（冷却風９１）は、冷却ファン４２ａが配置された部分のみから、筐体部分Ｒ１１へ送られる。すなわち、仕切り材２６ａ，２６ｂは、筐体部分Ｒ１２内の冷却風９３を筐体部分Ｒ１１内に導く機能を有する。
【００５３】
筐体部分Ｒ１１内に送られた冷却風９３は、冷却風９５の一部である。冷却風９３は、冷却風９３ａ，９３ｂとから構成される。冷却風９３ａ，９３ｂは、冷却ファン４２ａの駆動により、冷却風９５の一部となり、当該冷却風９５の一部は、光源３０Ｇおよび冷却器１２にあたる。これにより、光源３０Ｇおよび冷却器１２は冷却される。冷却風９５は、筐体部分Ｒ１１内において冷却風９６と合流する。
【００５４】
冷却ファン４２ｂは、冷却ファン４２ａと同様に、開口部Ｈ１１ｂの外気９０を、冷却風９１として筐体部分Ｒ１２内に送るように駆動する。また、冷却ファン４２ｂは、筐体部分Ｒ１２内の冷却風９１の一部である冷却風９２を、筐体部分Ｒ１１内に送るように駆動する。なお、仕切り材２６ａ，２６ｂにより、冷却風９２（冷却風９１）は、冷却ファン４２ｂが配置された部分のみから、筐体部分Ｒ１１へ送られる。すなわち、仕切り材２６ａ，２６ｂは、筐体部分Ｒ１２内の冷却風９２を筐体部分Ｒ１１内に導く機能を有する。
【００５５】
筐体部分Ｒ１１内に送られた冷却風９２は、冷却風９５の一部である。冷却風９２は、冷却風９２ａ，９２ｂとから構成される。冷却風９２ａ，９２ｂは、冷却ファン４２ｂの駆動により、冷却風９５の一部となり、当該冷却風９５の一部は、冷却器１２，１３にあたる。これにより、冷却器１２，１３は、冷却される。
【００５６】
なお、冷却ファン４２ａをＹ軸方向の適切な位置に配置することにより、冷却ファン４２ａの外縁部に発生する流速の速い冷却風により、光源３０Ｇを冷却することができる。その結果、光源３０Ｇを効率良く冷却することができる。
【００５７】
なお、冷却ファン４２ｂをＹ軸方向の適切な位置に配置することにより、冷却ファン４２ｂの外縁部に発生する流速の速い冷却風により、冷却器１３を冷却することができる。その結果、冷却器１３を効率良く冷却することができる。
【００５８】
以上により、冷却ファン４２ａ，４２ｂの各々は、開口部Ｈ１１ｂの外気９０を、冷却風９１として筐体部分Ｒ１２内に送り、かつ、筐体部分Ｒ１２内の冷却風９１の一部である冷却風９２，９３が冷却風９６と合流するように、該筐体部分Ｒ１２内の冷却風９２，９３を筐体部分Ｒ１１内に送るように駆動する。
【００５９】
以下においては、冷却風９５と冷却風９６とが合流した風を、合流冷却風９７ともいう。合流冷却風９７は、排気用の開口部Ｈ１２へ向かって流れ、開口部Ｈ１２から排出される。すなわち、冷却ファン４１，４２ａ，４２ｂの各々は、合流冷却風９７が開口部Ｈ１２から排出されるように駆動する。
【００６０】
具体的には、合流冷却風９７は、光学ユニット１００と、筐体５０のうち筐体部分Ｒ１１を構成する部分と、冷却ファン４１，４２ａ，４２ｂと、仕切り材２６ａ，２６ｂとにより形成される空間を通って、開口部Ｈ１２から筐体５０の外部へ排出される。
【００６１】
以下においては、冷却風９２，９３に含まれる、筐体部分Ｒ１２の上部の冷却風を、冷却風９ｕとも表記する。また、以下においては、冷却風９２，９３に含まれる、筐体部分Ｒ１２の下部の冷却風を、冷却風９ｄとも表記する。冷却風９ｕ，９ｄは、図２に示される冷却風である。
【００６２】
なお、冷却風９５は、冷却風９５ｕ，９５ｄを含む。冷却風９５ｕは、図２に示すように、筐体部分Ｒ１１の上部を流れる風である。冷却風９ｕは、冷却ファン４２（４２ａ，４２ｂ）の駆動により、冷却フィン部１２ａを通過後、冷却風９５ｕとなる。冷却風９ｄは、冷却ファン４２の駆動により、冷却フィン部１２ｂを通過後、冷却風９５ｄとなる。
【００６３】
なお、冷却器１２は、図４および図５を用いて前述したように構成される。そのため、冷却器１２の近傍に配置された冷却ファン４２ａ，４２ｂの駆動により、冷却ファン４２ａ，４２ｂの各々の外縁部に発生する流速の速い冷却風を、冷却器１２の上部および下部にそれぞれ設けられた冷却フィン部１２ａ，１２ｂに送ることができる。その結果、温度上昇の大きい光源群３１を効率良く冷却することができる。
【００６４】
なお、光源３０Ｂの近傍の冷却器３９Ｂの構成、および、光源３０Ｒの近傍の冷却器３９Ｒの構成も、冷却器１２の構成と同様な構成としてもよい。これにより、さらに、効率のよい冷却を行うことができる。また、さらに、ライトバルブ３６の近傍の冷却器１３の構成も、冷却器１２の構成と同様な構成としてもよい。
【００６５】
また、本実施の形態では、前述したように、筐体５０内に、筐体部分Ｒ１１，Ｒ１２を設ける構成としている。そのため、筐体部分Ｒ１２に設けられる電源ユニット２１専用の冷却ファンを設けることなく、冷却ファン４２ａ，４２ｂの駆動により、電源ユニット２１を効率よく冷却できる。
【００６６】
さらに、筐体５０内の上部に配置した制御回路１６、音声回路２０等の高温になる部品も、筐体部分Ｒ１２の上部を流れる冷却風９ｕにより、冷却することができる。言い換えれば、発熱部品である音声回路２０は、筐体部分Ｒ１２内において、冷却風（例えば、冷却風９ｕ、冷却風９１）があたる位置に設けられる。
【００６７】
なお、筐体部分Ｒ１１内において、冷却ファン４２の駆動により生じる前述の冷却風９５ｕは、光源ドライブ回路１７にあたる。また、筐体部分Ｒ１１内において、冷却ファン４２の駆動により生じる前述の冷却風９５ｄは、光源ドライブ回路１８にあたる。また、筐体部分Ｒ１１内において、光源ドライブ回路１７，１８には、冷却風９６もあたる。すなわち、発熱部品である光源ドライブ回路１７，１８は、筐体部分Ｒ１１内において、冷却風９６、および、筐体部分Ｒ１１内に送られた冷却風９２，９３である冷却風９５の少なくとも一方があたる位置に設けられる。
【００６８】
これにより、光源ドライブ回路１７，１８を効率よく冷却できる。また、光源ドライブ回路１７，１８以外にも、冷却風９５ｕ，９５ｄにより、光学ユニット１００に含まれる冷却が必要な光学部品、その他の構造物等も冷却することができる。
【００６９】
以上説明したように、本実施の形態によれば、冷却ファン４２は、開口部Ｈ１１ｂの外気９０を、冷却風９１として筐体部分Ｒ１２内に送り、かつ、筐体部分Ｒ１２内の冷却風９１の一部である冷却風９２，９３が冷却風９６と合流するように、該筐体部分Ｒ１２内の冷却風９２，９３を筐体部分Ｒ１１内に送るように駆動する。
【００７０】
これにより、冷却風９６と、筐体部分Ｒ１１内に送られた冷却風９２，９３である冷却風９５とが合流することにより、風量が増加した合流冷却風９７を筐体部分Ｒ１１内で使用することができる。その結果、筐体部分Ｒ１１内の光学ユニット１００を効率的に冷却することができる。すなわち、複数の冷却風が合流された合流冷却風を使用することにより、簡単な構造で効率的な冷却を行うことができる。
【００７１】
したがって、冷却ファンの数、仕切り材の数、吸気用および排気用の開口部の数等を少なくすることができる。その結果、筐体５０内の部品配置の自由度を向上させることができる。
【００７２】
また、冷却風９６と筐体部分Ｒ１１内に送られた冷却風９２，９３とが合流された合流冷却風の風量は、冷却風９６または冷却風９２，９３の風量よりも大きいため、発熱の大きい光源、光学ユニット１００の発熱部品等を効率よく冷却する事ができる。
【００７３】
また、本実施の形態によれば、冷却ファン４２ａ，４２ｂを筐体５０内に配置するため、冷却のために発生する騒音を小さくすることができる。
【００７４】
また、本実施の形態によれば、前述したように、冷却ファン４２ａ，４２ｂの駆動により、筐体部分Ｒ１２に設けられる電源ユニット２１専用の冷却ファンを設けることなく、電源ユニット２１を効率よく冷却できる。
【００７５】
また、本実施の形態では、前述したように、光源ドライブ回路１７，１８は、筐体部分Ｒ１１に収容される光学ユニット１００と筐体５０との間の空間（隙間）に配置される。
これにより、プロジェクタ１０００のコンパクト化を実現することができる。
【００７６】
以上により、発光効率を向上させるとともに、出射される映像光が明るく、かつ、静粛でコンパクトなプロジェクタ１０００を得ることが出来る。
【００７７】
なお、冷却効率を考慮し、かつ、プロジェクタ１０００全体を長方形のスペースにコンパクトにまとめる場合、個別の冷却が必要な主要素は、吸気用の開口部の近傍に配置されるのが望ましい。すなわち、個別の冷却が必要な主要素は、筐体５０の外縁付近に沿って配置されるのが望ましい。
【００７８】
本実施の形態では、比較的長い寸法が必要な光源群３１を、筐体５０の長辺方向に沿って配置されるライトバルブ３６の隣に配置している。また、さらに、光源群３１の隣には、赤色光、緑色光および青色光のうち、相対的に冷却の必要性が低い光源３０Ｇを配置している。また、筐体５０の短辺側の近傍に、青色光を出射する光源３０Ｂと、赤色光を出射する光源３０Ｒとを配置している。
【００７９】
これにより、光源３０Ｂまたは光源３０Ｒの構成を、光源群３１のように複数の光源を並べる構成にすることにより、強い冷却が必要となった場合でも、プロジェクタ１０００全体として、冷却設計のバランスがよく、コンパクトなレイアウト設計を可能としている。
【００８０】
また、本実施の形態では、多くの風量を必要とする冷却風を発生させる冷却ファンを筐体５０内部に配置する。そのため、プロジェクタ１０００の静音化を実現することができる。
【００８１】
なお、プロジェクタ１０００で使用される冷却器（例えば、冷却器１２）は、ヒートシンクに限定されない。冷却器は、例えば、ヒートパイプのような液冷手段、その他の冷媒空冷手段等であってもよい。また、冷却ファンは、軸流ファン、シロッコファンなど様々な種類のファンを適用してよい。
【００８２】
その他、電源ユニット、制御回路、光源ドライブ回路の配置位置及び回路の機能および名称も、本実施の形態に記載の内容に限定されるものではない。
【００８３】
以上のように構成されたプロジェクタ１０００は、冷却効率の向上とコンパクトなレイアウトの両立を実現することができる。そのため、プロジェクタ１０００は、発光効率の向上を促して、明るい映像を投写することができる。
【００８４】
なお、前述の関連技術Ａでは、冷却ファンが各光源装置および主要な発熱源ごとに必要であった。そのため、筐体には、冷却風の吸気用および排気用の開口部を広く設ける必要があった。
【００８５】
さらに、関連技術Ａでは、冷却ファンが、筐体の側面近傍に配置されるため、冷却ファンによる騒音が大きいという問題があった。また、関連技術Ａでは、冷却風の流れを制御する案内部材（仕切部材）が、広い範囲において多く設けられる。そのため、関連技術Ａでは、構造的な部品配置の制約が大きく、筐体内のレイアウトの自由度が低いという問題があった。
【００８６】
そこで、本実施の形態のプロジェクタ１０００は、上記のように構成されることにより、関連技術Ａにおける上記の問題を解決することができる。
【００８７】
なお、本発明は、その発明の範囲内において、実施の形態を適宜、変形、省略することが可能である。
【００８８】
例えば、筐体５０内には、筐体部分Ｒ１１，Ｒ１２が形成されるとしたがこれに限定されない。筐体５０内には、３つ以上の筐体部分が形成されるように構成されてもよい。この構成における筐体５０は、例えば、筐体部分Ｒ１１，Ｒ１２を含む複数の筐体部分を含む。
【００８９】
また、本実施の形態では、冷却ファンを１個配置する構成、冷却ファンを２個並べる構成を示したが、この構成に限定されない。例えば、冷却ファンの大きさと、冷却フィンの大きさに基づいて冷却ファン数を選べばよく、この実施の形態における冷却ファンの数量に限定されない。例えば、仕切り材として機能する冷却ファン４２の数は、２に限定されず、１または３以上であってもよい。例えば、筐体５０は、３以上の冷却ファンを含む構成としてもよい。この構成における筐体５０は、例えば、冷却ファン４１，４２を含む複数の冷却ファンを含む。
【００９０】
また、本実施の形態では、筐体５０には、吸気用の開口部Ｈ１１ａ，Ｈ１１ｂが設けられる構成としたがこれに限定されない。例えば、筐体５０には、吸気用の開口部が３つ以上設けられる構成としてもよい。この構成における筐体５０は、例えば、開口部Ｈ１１ａ，Ｈ１１ｂを含む複数の吸気用の開口部を含む。
【００９１】
また、本実施の形態では、筐体５０には、排気用の開口部Ｈ１２が設けられる構成としたがこれに限定されない。例えば、筐体５０には、排気用の開口部が２つ以上設けられる構成としてもよい。この構成における筐体５０は、例えば、開口部Ｈ１２を含む１以上の排気用の開口部を含む。
【００９２】
また、本実施の形態では、筐体５０には、仕切り材２６ａ，２６ｂが設けられる構成としたがこれに限定されない。例えば、筐体５０には、冷却風の流れを制御する機能を有する１つまたは３つ以上の仕切り材が設けられる構成としてもよい。この構成における筐体５０は、例えば、筐体５０内の冷却風の流れを制御する機能を有する仕切り材を含む。
【００９３】
また、本実施の形態に係る筐体５０は、図６に示すように、さらに、仕切り材２８を含む構成（以下、変形構成Ａともいう）としてもよい。
【００９４】
変形構成Ａでは、仕切り材２８は、冷却風の流れを制御する機能を有する。具体的には、仕切り材２８は、筐体部分Ｒ１２内の冷却風９１を２つに分割するように設けられる。また、仕切り材２８は、開口部Ｈ１３を有する。開口部Ｈ１３は、電源ユニット２１内の発熱量の大きな部品に十分な冷却風を配分するように、仕切り材２８に設けられる。
【００９５】
以上の構成により、電源ユニット２１内に流れる冷却風９１は、仕切り材２８により、冷却風９８と冷却風９９とに分割される。
【００９６】
なお、変形構成Ａにおいて、冷却ファン４２ａは、筐体部分Ｒ１２内の冷却風９９の一部である冷却風９３を、筐体部分Ｒ１１内に送るように駆動する。また、冷却ファン４２ｂは、筐体部分Ｒ１２内の冷却風９８が開口部Ｈ１３を通過し、当該冷却風９８の一部である冷却風９２を、筐体部分Ｒ１１内に送るように駆動する。
【００９７】
これらにより、変形構成Ａでは、冷却ファン４２ａ，４２ｂのＹ軸方向の位置に依存することなく、電源ユニット２１内全体に最適に冷却風を送り込むことができる。そのため、変形構成Ａでは、仕切り材２８を設けていない構成よりも、電源ユニット２１をさらに効率よく冷却することができる。
【００９８】
なお、変形構成Ａにおいて、仕切り材２８は、冷却風９１を３つ以上に分割するように、２つ以上設けられてもよい。すなわち、仕切り材２８は、筐体部分Ｒ１２内の冷却風９１を少なくとも２つに分割するように設けられてもよい。また、仕切り材２８に設けられる開口部の数は１に限定されず、２以上であってもよい。
【符号の説明】
【００９９】
２１  電源ユニット、２６ａ，２６ｂ，２８  仕切り材、３０，３０Ｂ，３０Ｇ，３０Ｌ，３０Ｒ  光源、４１，４２，４２ａ，４２ｂ  冷却ファン、５０  筐体、１００  光学ユニット、１０００  プロジェクタ、Ｈ１１ａ，Ｈ１１ｂ，Ｈ１２，Ｈ１３  開口部。
【図１】
2014211462.tif 000003
【図２】
2014211462.tif 000004
【図３】
2014211462.tif 000005
【図４】
2014211462.tif 000006
【図５】
2014211462.tif 000007
【図６】
2014211462.tif 000008